(57)【特許請求の範囲】
【請求項１】
一端側が回動可能に支持され、ウエブの走行方向をガイドするガイド部材と、
紙通し時に前記ウエブを案内する第一の方向と切断時に前記ウエブを案内する第二の方向とに前記ウエブの走行方向を切り換えるように前記ガイド部材を回動させる回動手段と、
前記ガイド部材の他端側に設けられ、前記ウエブの走行方向の前記第一の方向から前記第二の方向への切り換えの際の当該ガイド部材の回動に伴って当該ウエブを切断する切断刃と
を備えてなることを特徴とするウエブ切断装置。
【発明の詳細な説明】
【０００１】
【発明の属する技術分野】
本発明は、輪転印刷機に付設される折機内に配設されて非常時にウエブを切断して当該ウエブを折機の外部に逃がすウエブ切断装置に関する。
【０００２】
【従来の技術】
輪転印刷機には、印刷されたウエブを折りたたむ折機が一般的に付設されている。このような折機には、ウエブを引っ張る上部ニッピングローラおよび下部ニッピングローラや、上部ニッピングローラと下部ニッピングローラとの間に配設されてウエブに横ミシン目を入れる横ミシン胴や、下部ニッピングローラのウエブ走行方向下流側に配設されてウエブを横裁ちする断裁胴などが備えられている。
【０００３】
このような折機を備えた輪転印刷機において、印刷中になんらかの原因でウエブが紙詰まりを起こしたり、ウエブが断裁胴や折胴などに巻き付いてしまうと、折機の内部に余計な応力が発生し、おもわぬ故障を誘発してしまう虞がある。このため、上記折機の断裁胴のウエブ走行方向上流側にウエブ切断装置を設け、紙詰まりや巻き付けなどが生じたら、上記ウエブ切断装置によりウエブを切断して、続いて送給されてくるウエブを折機の外部へ逃がすようにしている。
【０００４】
このようなウエブ切断装置としては、例えば、図７に示すように、横ミシン胴１１３および横ミシン受胴１１４と下部ニッピングローラ１１５，１１６との間に配設され、紙通し時や印刷時等の通常時には、固定式のガイドカバー１２１によりウエブ１００を下部ニッピングローラ１１５，１１６間に案内し、印刷中にウエブ１００の紙詰まりを生じた場合などのような異常時には、エアシリンダ１２２のロッド１２２ａを短縮することにより、揺動可能に支持されたブラケット１２３の先端に設けられた切断刃１２４がウエブ１００のパスライン上に進出してウエブ１００を切断すると共に、上記ブラケット１２３に設けられたガイドカバー１２６がウエブ１００の走行方向を排出ガイドカバー１２７側へ向けるように案内すると同時に図示しないエアブロアが当該ウエブ１００へ向けてエアを吹きつけることにより、ウエブ１００を折機の外側に排出するようにしたものがある。
【０００５】
また、他の例としては、例えば、図８に示すように、下部ニッピングローラ１１５，１１６と断裁胴１１７および折胴１１８との間に配設され、紙通し時や印刷時等の通常時には、外側に揺動退避可能なガイドカバー１３１によりウエブ１００を断裁胴１１７と折胴１１８との間に案内し、印刷中にウエブ１００の紙詰まりを生じた場合などのような異常時には、エアシリンダ１３２のロッド１３２ａの伸長により、当該シリンダ１３２のロッド１３２ａの先端のブラケット１３３に取り付けられた切断刃１３４がウエブ１００のパスライン上に進出してウエブ１００を切断すると共に、上記ブラケット１３３に取り付けられたドライブプレート１３５がガイドカバー１３１の係合片１３１ａを押して当該ガイドカバー１３１を退避させるように回動させると同時に、上記ブラケット１３３上に設けられたガイドカバー１３６がウエブ１００の走行方向を排出ガイドカバー１３７側へ向けるように当該ウエブ１００の前記パスライン上に移動することにより、ウエブ１００を折機の外側に排出するようにしたものもある（実公平７−４５３２５号公報等参照）。
【０００６】
【発明が解決しようとする課題】
しかしながら、前述したようなウエブ切断装置を備えた折機では、通常時に断裁胴１１７および折胴１１８側へウエブ１００をガイドするガイドカバー１２１，１３１を有すると共に、異常時に排出ガイドカバー１２７，１３７へウエブ１００をガイドするガイドカバー１２６，１３５を有するため、部材点数が非常に多くなり、内部構造が複雑となり、保守管理等に手間がかかってしまう。さらに、前者のタイプでは、エアブロアが必要であるため、内部構造がより複雑となり、保守管理等により手間がかかってしまう。
【０００７】
【課題を解決するための手段】
前述した課題を解決するための、本発明によるウエブ切断装置は、一端側が回動可能に支持され、ガイドするガイド部材と、紙通し時に前記ウエブを案内する第一の方向と切断時に前記ウエブを案内する第二の方向とにウエブの走行方向を切り換えるように前記ガイド部材を回動させる回動手段と、前記ガイド部材の他端側に設けられ、前記ウエブの走行方向の前記第一の方向から前記第二の方向への切り換えの際の当該ガイド部材の回動に伴って当該ウエブを切断する切断刃とを備えてなることを特徴とする。
【０００８】
【発明の実施の形態】
本発明によるウエブ切断装置を輪転印刷機に付設された折機内の所定箇所に設けた場合の実施の形態を図１〜６を用いて説明する。なお、図１は、その折機の内部の要部概略構造を表す側面図、図２は、図１の矢線II部の抽出拡大図、図３は、図２の展開正面図、図４は、図２の矢線IV方向から見た抽出拡大図、図５は、図２の矢線Ｖ方向から見た抽出拡大図、図６は、図２の矢線VI方向から見た抽出拡大図である。
【０００９】
図１において、、１１１，１１２は上部ニッピングローラ、１１３は横ミシン胴、１１４は横ミシン受胴、１１５，１１６は下部ニッピングローラ、１１７は断裁胴、１１８は折胴である。
【００１０】
上部ニッピングローラ１１１，１１２および下部ニッピングローラ１１５，１１６は、折機の内部に配設され、図示しないフォーマ（三角板）等で縦折りされたウエブ１００を所定の張力で引っ張りながら送給することができるようになっている。
【００１１】
横ミシン胴１１３および横ミシン受胴１１４は、上部ニッピングローラ１１１，１１２と下部ニッピングローラ１１５，１１６との間に配設され、折り曲げたウエブ１００の内側に空気を閉じ込めてしまうことを防ぐと共に、折りじわの発生や折り目の精度の向上などを図ることができるように、ウエブ１００の走行方向に沿って所定の間隔で当該ウエブ１００の幅方向に沿ってミシン目を入れることができるようになっている。
【００１２】
断裁胴１１７は、下部ニッピングローラ１１５，１１６のウエブ１００の走行方向下流側に配設され、折胴１１６と共働してウエブ１００を走行方向に沿って所定の間隔で当該ウエブの１００の幅方向に沿って断裁して折胴１１６に受け渡すようになっている。
【００１３】
折胴１１８は、断裁胴１１７と対をなすようにして配設され、外周面に図示しない折りブレードが突設されており、断裁胴１１７から受け取った紙の中央部分（折り目部分）を前記折りブレードで外周面から浮き上がらせ（突出させ）、当該紙の当該ブレード部分を隣接する図示しないくわえ胴にくわえさせることにより、当該くわえ胴に当該紙を折り曲げながら受け渡すことができるようになっている。
【００１４】
一方、図２，３に示すように、上部ニッピングローラ１１１，１１２と横ミシン胴１１３および横ミシン受胴１１４との間の上部ニッピングローラ１１２寄りには、当該ニッピングローラ１１２に沿って軸心を向けた支持軸１１が回転可能に配設されている。支持軸１１には、ウエブ１００の走行を案内するガイド部材であるガイドプレート１２がブラケット１１ａを介して取り付けられており、当該ガイドプレート１２は、上端側（一端側）を中心にして回動できるようになっている。ガイドプレート１２には、スリット１２ａが複数形成されており、当該スリット１２ａからウエブ１００の走行状態を覗き見ることができるようになっている。
【００１５】
図２，３に示すように、上部ニッピングローラ１１１，１１２と横ミシン胴１１３および横ミシン受胴１１４との間の横ミシン胴１１３側には、回動手段であるエアシリンダ１３が基端を中心にして回動できるように配設されている。エアシリンダ１３のロッド１３ａの先端には、ブロック１３ｂが取り付けられている。一方、前記支持軸１１には、アーム１１ｂの基端（上端）が連結されている。アーム１１ｂの先端（下端）は、連結軸１４を介して上記ブロック１３ｂに回動可能に連結されている。つまり、エアシリンダ１３を伸縮することにより、ブロック１３ｂ、連結軸１４、アーム１１ｂ、支持軸１１、ブラケット１１ａを介してガイドプレート１２を横ミシン胴１１３側と横ミシン受胴１１４側との間を往復動させるように回動させることができるようになっているのである。
【００１６】
図２，３に示すように、前記ガイドプレート１２の下端側（他端側）には、ウエブ１００を幅方向にそって切断する切断刃１５が当該ガイドプレート１２の表面と所定の角度をなすようにして設けられている。一方、上部ニッピングローラ１１１，１１２と横ミシン胴１１３および横ミシン受胴１１４との間の横ミシン受胴１１４の近傍には、上記切断刃１５と共働してウエブ１００を幅方向に沿って切断する受刃部１６ａを有するステー１６が配設されている。つまり、エアシリンダ１３を伸長してガイドプレート１２を横ミシン胴１１３側から横ミシン受胴１１４側へ移動させるように回動させると、上記ガイドプレート１２の回動に伴って、上部ニッピングローラ１１１，１１２間と横ミシン胴１１３および横ミシン受胴１１４間との間を走行するウエブ１００を上記切断刃１５がステー１６の受刃部１６ａと共働して幅方向に切断するようになっているのである。
【００１７】
図２，３に示すように、前記ステー１６には、ウエブ１００を折機のフレームの外側に案内するガイドテーブル１７が取り付けられており、当該ガイドテーブル１７は、前記ガイドプレート１２が横ミシン受胴１１４側へ回動した際に当該ガイドプレート１２と連絡するようになっている。
【００１８】
また、図２〜５に示すように、上部ニッピングローラ１１１，１１２と横ミシン胴１１３および横ミシン受胴１１４との間の横ミシン受胴１１４側、すなわち、ウエブ１００のパスラインを挟んだ前記エアシリンダ１３の対向側に配設された取付ブロック２１には、上記エアシリンダ１３との対向方向へ軸心を向けたシャフト２２の一端側が回転可能に支持されている。シャフト２２の一端部には、当該シャフト２２を回転させるハンドル２３が取り付けられている。シャフト２２の一端側には、外周面に図示しない窪部を有する略円柱状をなすカム２４が当該シャフト２２と一体的に同軸をなして嵌合している。カム２４の近傍には、ボールプランジャ２５が設けられており、当該ボールプランジャ２５は、その先端が当該カム２４の前記窪部に着脱可能に嵌合できるようになっている。
【００１９】
図２，３に示すように、シャフト２２は、その途中が支持ブロック２６により回転可能に支持されると共に、その他端が、短縮した際の前記エアシリンダ１３のロッド１３ａ先端のブロック１３ｂ先端近傍に位置している。シャフト２２の上記他端には、図２，３，５に示すように、長方形状のストッパプレート２７がカム２４の前記窪部と軸心とを結ぶ方向に沿って長手方向を向けるようにして設けられている。
【００２０】
つまり、ハンドル２３を操作して、カム２４の前記窪部にボールプランジャ２５の先端を嵌合させるようにシャフト２２を回転させると、当該回転に伴って、短縮しているエアシリンダ１３のロッド１３ａのブロック１３ｂの先端側に突出するようにストッパプレート２７が回動してエアシリンダ１３の伸長を防止する、すなわち、ガイドプレート１２がガイドテーブル１７側に回動できなくなる一方、ハンドル２３を操作して、カム２４の前記窪部からボールプランジャ２５の先端を外すように上記嵌合状態からシャフト２２を９０度回転させると、短縮しているエアシリンダ１３のロッド１３ａのブロック１３ｂの先端側から退避するようにストッパプレート２７が回動してエアシリンダ１３の伸長を可能にする、すなわち、ガイドプレート１２がガイドテーブル１７側に回動できるようになるのである。
【００２１】
このような取付ブロック２１、シャフト２２、ハンドル２３、カム２４、ボールプランジャ２５、支持ブロック２６、ストッパプレート２７などにより安全装置２０が構成されている。
【００２２】
なお、図２，３中、１８は切断刃載置ステーであり、エアシリンダ１３が短縮状態の際の切断刃１５を保護するものである。
【００２３】
このようなウエブ切断装置１０を備えた折機を付設した輪転印刷機において、紙通し時や印刷時等の通常時には、図２に示すように、ガイドプレート１２を横ミシン胴１１３側に位置させるようにエアシリンダ１３を短縮しておくことにより、ガイドプレート１２が上部ニッピングローラ１１１，１１２の間と横ミシン胴１１３および横ミシン受胴１１４の間との間にウエブ１００を走行させるようにガイドする。
【００２４】
一方、印刷中にウエブ１００の紙詰まりを生じた場合などのような異常時には、図２に示すように、エアシリンダ１３が伸長して、ガイドプレート１２を横ミシン受胴１１４側に移動させるように回動し、当該回動に伴って、切断刃１５がステー１６の受刃部１６ａと共働してウエブ１００を幅方向にわたって切断すると共に、ガイドプレート１２が上部ニッピングローラ１１１，１１２の間と横ミシン胴１１３および横ミシン受胴１１４の間との間に位置しながらガイドテーブル１７と連絡するので、ウエブ１００は、ガイドプレート１２およびガイドテーブル１７を介して折機の外部へ排出されるように走行方向が切り換えられる。
【００２５】
つまり、エアシリンダ１３を伸縮させてガイドプレート１２を回動させることにより、ウエブ１００の走行方向を上部ニッピングローラ１１１，１１２の間と横ミシン胴１１３および横ミシン受胴１１４の間との間（紙通し時にウエブ１００を案内する第一の方向）またはガイドテーブル１７上（切断時にウエブ１００を案内する第二の方向）に切り換えるようにすると共に、ガイドプレート１２の上記第一の方向から上記第二の方向への切り換えの際の当該ガイドプレート１２の上記回動に伴って切断刃１５で当該ウエブ１００を切断するようにしたのである。
【００２６】
これにより、印刷中になんらかの原因でウエブ１００が紙詰まりを起こしたり、ウエブ１００が断裁胴１１７や折胴１１８などに巻き付いてしまっても、続いて送給されてくるウエブ１００を折機の外部へ逃がすことができるので、折機の内部に余計な応力が発生したりすることによる故障の誘発を防止することができる。
【００２７】
したがって、このようなウエブ切断装置によれば、上述したような故障の誘発を従来のウエブ切断装置と同様に防止することができるのはもちろんのこと、ガイドプレート１２のみで、通常時の断裁胴１１７および折胴１１８側へのウエブ１００のガイドと異常時のガイドテーブル１７へのウエブ１００のガイドとの両者を行うことができるので、部材点数を削減することができ、折機の内部構造を簡素化することができ、保守管理等の簡便化を図ることができる。また、エアブロア等のような補助装置が不要であるので、折機の内部構造をさらに簡素化することができ、保守管理等にかかる手間をさらに削減することができる。
【００２８】
【発明の効果】
本発明のウエブ切断装置によれば、単一のガイドプレートだけでウエブの走行方向を第一の方向と第二の方向とに切り換えることができるので、部材点数を削減することができ、保守管理等の簡便化を図ることができる。
【図面の簡単な説明】
【図１】本発明によるウエブ切断装置を輪転印刷機に付設された折機内の所定箇所に設けた場合の実施の形態の当該折機の内部の要部概略構造を表す側面図である。
【図２】図１の矢線II部の抽出拡大図である。
【図３】図２の展開正面図である。
【図４】図２の矢線IV方向から見た抽出拡大図である。
【図５】図２の矢線Ｖ方向から見た抽出拡大図である。
【図６】図２の矢線VI方向から見た抽出拡大図である。
【図７】従来のウエブ切断装置の一例の概略構造を表す側面図である。
【図８】従来のウエブ切断装置の他の例の概略構造を表す側面図である。
【符号の説明】
１０  ウエブ切断装置
１１  支持軸
１１ａ  ブラケット
１１ｂ  アーム
１２  ガイドプレート
１２ａ  スリット
１３  エアシリンダ
１３ａ  ロッド
１３ｂ  ブロック
１４  連結軸
１５  切断刃
１６  ステー
１６ａ  受刃部
１７  ガイドテーブル
１８  切断刃載置ステー
２０  安全装置
２１  取付ブロック
２２  シャフト
２３  ハンドル
２４  カム
２５  ボールプランジャ
２６  支持ブロック
２７  ストッパプレート
１００  ウエブ
１１１，１１２  上部ニッピングローラ
１１３  横ミシン胴
１１４  横ミシン受胴
１１５，１１６  下部ニッピングローラ
１１７  断裁胴
１１８  折胴
【図１】
0003798885.tif 000002
【図２】
0003798885.tif 000003
【図３】
0003798885.tif 000004
【図４】
0003798885.tif 000005
【図５】
0003798885.tif 000006
【図６】
0003798885.tif 000007
【図７】
0003798885.tif 000008
【図８】
0003798885.tif 000009